(57)【要約】【課題】裏蓋の開閉作業が簡単でスムーズに行える額縁の裏蓋の構造を提供する。【解決手段】矩形状で枠形に形成されるフレーム１３と、フレームの内側に配設される透明板と、透明板に沿って配設されるマットと、フレームの裏側から施蓋する裏蓋１１とを備える額縁の裏蓋の構造であって、裏蓋は、矩形状に形成され、一方の端部１１ａがヒンジ部材１２でフレームの一端側１３ａに取り付けられ、他方の端部１１ｂが面ファスナー１４、１５を用いてフレームの他端側１３ｂに開閉可能に止着している。【選択図】図１
2020025806.tif 000002
【特許請求の範囲】
【請求項１】
矩形状で枠形に形成されるフレームと、該フレームの内側に配設される透明板と、該透明板に沿って配設されるマットと、前記フレームの裏側から施蓋する裏蓋と、を少なくとも備える額縁の裏蓋の構造であって、
前記裏蓋は、矩形状に形成され、一方の端部がヒンジ部材で前記フレームの一端側に取り付けられ、他方の端部が面ファスナーを用いて前記フレームの他端側に開閉可能に止着していること
を特徴とする額縁の裏蓋の構造。
【請求項２】
前記ヒンジ部材は、ヒンジ金具又はヒンジ用テープであること
を特徴とする請求項１に記載の額縁の裏蓋の構造。
【請求項３】
前記面ファスナーは、裏蓋に設けられる裏蓋側面ファスナーと前記フレームの他端側に設けられるフレーム側面ファスナーとからなり、
前記裏蓋側面ファスナーは、前記フレームの他端側から所要の間隔を開けた位置に設けられていること
を特徴とする請求項１に記載の額縁の裏蓋の構造。
【請求項４】
前記裏蓋には、引き上げるための摘み部が設けられていること
を特徴とする請求項１に記載の額縁の裏蓋の構造。
【請求項５】
前記裏蓋には、クッション用のウレタン又は弾性材が配設されていること
を特徴とする請求項１に記載の額縁の裏蓋の構造。
【発明の詳細な説明】
【技術分野】
【０００１】
本発明は、裏蓋の開閉作業が簡単でスムーズに行える額縁の裏蓋の構造に関するものである。
【背景技術】
【０００２】
従来、額縁の裏蓋の構造としては、図６に示すの構成のものが知られている。この額縁１の裏蓋２の構造は、フレーム３の裏側から裏蓋２を嵌め込んだ状態で施蓋しており、当該フレーム３に設けられるトンボと称する複数の係止用の金物４で係止されている。
【０００３】
この金物４は、回転軸５を中心にして回転可能な金属製又は樹脂製の小片であり、指で摘まんで回転させて操作する。
【０００４】
なお、特開２００９−４５４０５号公報には、額縁のカレンダー保持構造の発明が開示されており（特許文献１参照）、実用新案登録第３２０２４０１号公報には、万年カレンダーを設けた額縁の考案が開示されている（特許文献２参照）。
【先行技術文献】
【特許文献】
【０００５】
【特許文献１】特開２００９−４５４０５号公報
【特許文献２】実用新案登録第３２０２４０１号公報
【発明の概要】
【発明が解決しようとする課題】
【０００６】
この従来例の額縁の裏蓋の構造においては、小さな金物４を指で摘まんで回転させる作業が厄介であり、また、裏蓋２を持ち上げる作業も困難が伴い、これらの作業時に指先を傷めたり、爪を剥がしたりすることがあって、裏蓋２の開閉時の作業性が非常に悪いという問題点を有している。
【０００７】
従って、従来例における場合においては、裏蓋２の開閉作業を簡単でスムーズに行うことに解決しなければならない課題を有している。
【課題を解決するための手段】
【０００８】
前記従来例の課題を解決するための本発明の要旨は、矩形状で枠形に形成されるフレームと、該フレームの内側に配設される透明板と、該透明板に沿って配設されるマットと、前記フレームの裏側から施蓋する裏蓋と、を少なくとも備える額縁の裏蓋の構造であって、前記裏蓋は、矩形状に形成され、一方の端部がヒンジ部材で前記フレームの一端側に取り付けられ、他方の端部が面ファスナーを用いて前記フレームの他端側に開閉可能に止着していることである。
【０００９】
また、前記ヒンジ部材は、ヒンジ金具又はヒンジ用テープであること、；
前記面ファスナーは、裏蓋に設けられる裏蓋側面ファスナーと前記フレームの他端側に設けられるフレーム側面ファスナーとからなり、前記裏蓋側面ファスナーは、前記フレームの他端側から所要の間隔を開けた位置に設けられていること、；
前記裏蓋には、引き上げるための摘み部が設けられていること、；
前記裏蓋には、クッション用のウレタン又は弾性材が配設されていること、；
を含むものである。
【発明の効果】
【００１０】
本発明に係る額縁の裏蓋の構造によれば、裏蓋の一方の端部がヒンジ部材でフレームの一端側に取り付けられ、他方の端部が面ファスナーを用いてフレームの他端側に開閉可能に止着していることによって、面ファスナー同士の止着を剥がして、裏蓋の他方の端部を引き上げれば簡単に開くので、裏蓋の開閉作業がスムーズに行えるという優れた効果を奏する。
【００１１】
ヒンジ部材は、ヒンジ金具又はヒンジ用テープであることによって、裏蓋のヒンジ動作がスムーズである。特に、ヒンジ用テープの場合は、組立時にその取り付け作業が簡単であるという優れた効果を奏する。
【００１２】
面ファスナーは、裏蓋に設けられる裏蓋側面ファスナーとフレームの他端側に設けられるフレーム側面ファスナーとからなり、裏蓋側面ファスナーは、フレームの他端側から所要の間隔を開けた位置に設けられていることによって、フレーム側面ファスナーを裏蓋側面ファスナーからいったん剥がした後に、フレーム側面ファスナーがズリ下がって、意に反し再び裏蓋側面ファスナーに止着するという不都合が防止できるという優れた効果を奏する。
【００１３】
裏蓋には、引き上げるための摘み部が設けられていることによって、裏蓋の引き上げが簡単に行えるという優れた効果を奏する。
【００１４】
裏蓋には、クッション用のウレタン又は弾性材が配設されていることによって、額縁の中に複数枚の作品台紙等が収納されているときに、クッション用のウレタン又は弾性材がピッタリとフィットした状態で密着する。この場合は、作品台紙やマット等のズレが発生せずに安定した状態で保持できるという優れた効果を奏する。
【図面の簡単な説明】
【００１５】
【図１】本発明に係る額縁の裏蓋の構造の正面図である。
【図２】本発明の第２実施例に係る額縁の裏蓋の構造の正面図である。
【図３】裏蓋の側面図である。
【図４】額縁の正面図である。
【図５】額縁の断面図である。
【図６】従来例に係る額縁の裏蓋を示す正面図である。
【発明を実施するための形態】
【００１６】
次に、本発明の実施の形態について図面を参照しながら説明する。まず、図１及び図２は額縁の裏蓋の構造を示し、この額縁の裏蓋の構造は、裏蓋１１が矩形状に形成され、一方の端部１１ａがヒンジ部材１２でフレーム１３の一端側１３ａに取り付けられ、他方の端部１１ｂが面ファスナー１４、１５を用いてフレーム１３の他端側１３ｂに開閉可能に止着している。
【００１７】
額縁１６について説明する。図４及び図５に示すように、額縁１６は、矩形状で枠形に形成されるフレーム１７と、フレーム１７の内側に配設される透明板１８（図５参照）と、透明板１８に沿って配設されるマット１９と、マット１９に沿って収納される複数枚の作品台紙２１（図５参照）と、フレーム１７の裏側から施蓋する裏蓋１１（図１及び図５参照）とを有している。
【００１８】
透明板１８は、具体的にはアクリル板又はガラス板である。また、マット１９は、図５に示すように、絵画（作品）２０の周囲に沿った状態に配設され、フレーム１７と絵画（作品）２０との間の周囲に所要のスペースを設けることによって、絵画（作品）２０に広がりを与える役目を果たす。
【００１９】
ヒンジ部材１２は、具体的にはヒンジ金具１２ａ（図１参照）、又はヒンジ用テープ１２ｂ（図２参照）であり、これらの存在によって、裏蓋１１のヒンジ動作がスムーズになる。
特に、ヒンジ部材１２が図２に示すように、ヒンジ用テープ１２ｂであれば、額縁１６の組立時にその取り付け作業が簡単に行える。
【００２０】
面ファスナー１４、１５は、裏蓋１１に設けられる裏蓋側面ファスナー１４とフレームの他端側１３ｂに設けられるフレーム側面ファスナー１５とからなる。
裏蓋側面ファスナー１４は、フレーム１３の他端側１３ｂから所要の間隔を開けた位置に設けられる。
このように、裏蓋側面ファスナー１４とフレーム１３の他端側１３ｂとの間に隙間が開いていることによって、フレーム側面ファスナー１５を裏蓋側面ファスナー１４からいったん剥がした後に、フレーム側面ファスナー１５が下にズレ動いて、意に反し再び裏蓋側面ファスナー１４に止着するという不都合が防止できる。
【００２１】
裏蓋１１には、図１及び図２に示すように、引き上げるための摘み部２２が設けられている。摘み部２２を上に引っ張り上げれば、裏蓋１１の引き上げが簡単に行える。
【００２２】
裏蓋１１には、図３及び図５に示すように、クッション用のウレタン又は弾性材２３が配設されている。
この場合、額縁１６の中に収納されている複数枚の作品台紙２１にクッション用のウレタン又は弾性材２３がピッタリとフィットした状態で密着するので、作品台紙２１やマット１９のズレが発生しないで安定した状態に保持できる。
【００２３】
以上のように構成される額縁の裏蓋の構造は、裏蓋１１の一方の端部１１ａがヒンジ部材１２でフレーム１３の一端側１３ａに取り付けられ、他方の端部１１ｂが面ファスナー１４、１５を用いてフレーム１３の他端側１３ｂに開閉可能に止着していることによって、面ファスナー１４、１５同士の止着を剥がして、裏蓋１１の他方の端部１１ｂを引き上げれば簡単に開くので、裏蓋１１の開閉作業がスムーズに行える。
【符号の説明】
【００２４】
１    額縁
２    裏蓋
３    フレーム
４    係止用の金物
５    回転軸
１１  裏蓋
１１ａ一方の端部
１１ｂ他方の端部
１２  ヒンジ部材
１２ａヒンジ金具
１２ｂヒンジ用テープ
１３  フレーム
１３ａ一端側
１３ｂ他端側
１４  裏蓋側面ファスナー
１５  フレーム側面ファスナー
１６  額縁
１８  透明板
１９  マット
２０  絵画（作品）
２１  作品台紙
２２  摘み部
２３  クッション用のウレタン又は弾性材
【図１】
2020025806.tif 000003
【図２】
2020025806.tif 000004
【図３】
2020025806.tif 000005
【図４】
2020025806.tif 000006
【図５】
2020025806.tif 000007
【図６】
2020025806.tif 000008